(57)【要約】【課題】  モバイルＩＰ技術を利用することなく、無線ＬＡＮ環境が変わっても無線通信を続けることが可能な無線ＬＡＮ通信システムを提供する。【解決手段】  無線ＬＡＮ通信システムは、各々異なるネットワークにおいてそれぞれ無線ＬＡＮ環境を構築する第１及び第２のアクセスポイント装置（ＡＰ２−０，ＡＰ２−１）を有する。第１及び第２のアクセスポイント装置（ＡＰ２−０，ＡＰ２−１）間においては、ＴＣＰ／ＩＰパケットにてフレーム転送を行っている。【選択図】      図１
2009284114.tif 000002
【特許請求の範囲】
【請求項１】
各々異なるネットワークにおいてそれぞれ無線ＬＡＮ（Ｌｏｃａｌ  Ａｒｅａ  Ｎｅｔｗｏｒｋ）環境を構築する第１及び第２のアクセスポイント装置を有し、
前記第１及び第２のアクセスポイント装置間においてＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）パケットにてフレーム転送を行うことを特徴とする無線ＬＡＮ通信システム。
【請求項２】
前記第１及び第２のアクセスポイント装置は、擬似的に一つのアクセスポイントとして動作することを特徴とする請求項１記載の無線ＬＡＮ通信システム。
【請求項３】
前記第１のアクセスポイント装置が構築する自宅無線ＬＡＮ環境に属する無線ＬＡＮ端末が前記第２のアクセスポイント装置が構築する外部無線ＬＡＮ環境にてインターネットに接続した場合、前記第２のアクセスポイント装置と前記第１のアクセスポイント装置との間にＴＣＰ／ＩＰ通信セッションを確立することを特徴とする請求項２記載の無線ＬＡＮ通信システム。
【請求項４】
前記第２のアクセスポイント装置は、無線ＬＡＮ端末との通信において低いレイヤの処理を実行し、
前記第１のアクセスポイント装置は、前記無線ＬＡＮ端末との通信において上位レイヤの処理を実行することを特徴とする請求項３記載の無線ＬＡＮ通信システム。
【請求項５】
前記第２のアクセスポイント装置は、前記無線ＬＡＮ端末との物理層及びデータリンク層の通信を行い、
前記第１のアクセスポイント装置は、当該通信のフレームデータを前記第２のアクセスポイント装置との間のＴＣＰ／ＩＰパケット転送によって処理することを特徴とする請求項４記載の無線ＬＡＮ通信システム。
【請求項６】
前記無線ＬＡＮ端末は、前記自宅無線ＬＡＮ環境においてプライベート通信用のプライベート無線ＳＳＩＤ（Ｓｅｒｖｉｃｅ  Ｓｅｔ  ＩＤｅｎｔｉｆｉｅｒ）にて前記第１のアクセスポイント装置に接続し、前記外部無線ＬＡＮ環境において公衆通信用のパブリック無線ＳＳＩＤにて前記第２のアクセスポイント装置に接続することを特徴とする請求項４または請求項５記載の無線ＬＡＮ通信システム。
【請求項７】
自装置が属する自ネットワークとは異なるネットワークにおいて無線ＬＡＮ（Ｌｏｃａｌ  Ａｒｅａ  Ｎｅｔｗｏｒｋ）環境を構築する他のアクセスポイント装置との間においてＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）パケットにてフレーム転送を行う手段を有することを特徴とするアクセスポイント装置。
【請求項８】
自装置と前記他のアクセスポイント装置とが、擬似的に一つのアクセスポイントとして動作することを特徴とする請求項７記載のアクセスポイント装置。
【請求項９】
自装置が構築する自宅無線ＬＡＮ環境に属する無線ＬＡＮ端末が前記第２のアクセスポイント装置が構築する外部無線ＬＡＮ環境にてインターネットに接続した場合、自装置と前記他のアクセスポイント装置との間にＴＣＰ／ＩＰ通信セッションを確立することを特徴とする請求項８記載のアクセスポイント装置。
【請求項１０】
前記他のアクセスポイント装置が、無線ＬＡＮ端末との通信における低いレイヤの処理を実行する場合、自装置にて、前記無線ＬＡＮ端末との通信における上位レイヤの処理を実行することを特徴とする請求項９記載のアクセスポイント装置。
【請求項１１】
前記他のアクセスポイント装置が、前記無線ＬＡＮ端末との物理層及びデータリンク層の通信を行う場合、自装置にて、当該通信のフレームデータを前記他のアクセスポイント装置との間のＴＣＰ／ＩＰパケット転送によって処理することを特徴とする請求項１０記載のアクセスポイント装置。
【請求項１２】
各々異なるネットワークにおいてそれぞれ無線ＬＡＮ（Ｌｏｃａｌ  Ａｒｅａ  Ｎｅｔｗｏｒｋ）環境を構築する第１及び第２のアクセスポイント装置を含む無線ＬＡＮ通信システムに用いるネットワーク間移行方法であって、
前記第１及び第２のアクセスポイント装置間においてＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）パケットにてフレーム転送を行うことを特徴とするネットワーク間移行方法。
【請求項１３】
前記第１及び第２のアクセスポイント装置が、擬似的に一つのアクセスポイントとして動作することを特徴とする請求項１２記載のネットワーク間移行方法。
【請求項１４】
前記第１のアクセスポイント装置が構築する自宅無線ＬＡＮ環境に属する無線ＬＡＮ端末が前記第２のアクセスポイント装置が構築する外部無線ＬＡＮ環境にてインターネットに接続した場合、前記第２のアクセスポイント装置と前記第１のアクセスポイント装置との間にＴＣＰ／ＩＰ通信セッションを確立することを特徴とする請求項１３記載のネットワーク間移行方法。
【請求項１５】
前記第２のアクセスポイント装置が、無線ＬＡＮ端末との通信において低いレイヤの処理を実行し、
前記第１のアクセスポイント装置が、前記無線ＬＡＮ端末との通信において上位レイヤの処理を実行することを特徴とする請求項１４記載のネットワーク間移行方法。
【請求項１６】
前記第２のアクセスポイント装置が、前記無線ＬＡＮ端末との物理層及びデータリンク層の通信を行い、
前記第１のアクセスポイント装置が、当該通信のフレームデータを前記第２のアクセスポイント装置との間のＴＣＰ／ＩＰパケット転送によって処理することを特徴とする請求項１５記載のネットワーク間移行方法。
【請求項１７】
前記無線ＬＡＮ端末が、前記自宅無線ＬＡＮ環境においてプライベート通信用のプライベート無線ＳＳＩＤ（Ｓｅｒｖｉｃｅ  Ｓｅｔ  ＩＤｅｎｔｉｆｉｅｒ）にて前記第１のアクセスポイント装置に接続し、前記外部無線ＬＡＮ環境において公衆通信用のパブリック無線ＳＳＩＤにて前記第２のアクセスポイント装置に接続することを特徴とする請求項１５または請求項１６記載のネットワーク間移行方法。
【発明の詳細な説明】
【技術分野】
【０００１】
本発明は無線ＬＡＮ通信システム、アクセスポイント装置及びそれらに用いるネットワーク間移行方法に関し、特に無線ＬＡＮ（Ｌｏｃａｌ  Ａｒｅａ  Ｎｅｔｗｏｒｋ）通信システムにおいて無線ＬＡＮ端末のネッワーク間の移行に関する。
【背景技術】
【０００２】
近年、光ファイバやＡＤＳＬ（Ａｓｙｍｍｅｔｒｉｃ  Ｄｉｇｉｔａｌ  Ｓｕｂｓｃｒｉｂｅｒ  Ｌｉｎｅ）によるインターネット接続の急速な普及に伴い、家庭内に無線ＬＡＮ（Ｌｏｃａｌ  Ａｒｅａ  Ｎｅｔｗｏｒｋ）通信システムを構築し、無線でインターネットに接続するのが一般的になってきている。
【０００３】
このような家庭内のブロードバンド接続または無線ＬＡＮ通信システムには、
（１）ＡＤＳＬやＶＤＳＬ（Ｖｅｒｙ  ｈｉｇｈ  ｄａｔａ  ｒａｔｅ  Ｄｉｇｉｔａｌ  Ｓｕｂｓｃｒｉｂｅｒ  Ｌｉｎｅ）ブロードバンドルータを使用したインターネット常時接続である
（２）家庭内の複数のＰＣ（Ｐｅｒｓｏｎａｌ  Ｃｏｍｐｕｔｅｒ）がＤＨＣＰ（Ｄｙｎａｍｉｃ  Ｈｏｓｔ  Ｃｏｎｆｉｇｕｒａｔｉｏｎ  Ｐｒｏｔｏｃｏｌ）プロトコルやＮＡＴ（Ｎｅｔｗｏｒｋ  Ａｄｄｒｅｓｓ  Ｔｒａｎｓｌａｔｉｏｎ）技術を利用して一つのグローバルＩＰアドレスを共有してインターネットに接続する
という特徴がある。
【０００４】
上記の特徴（１）を利用して、ＦＯＮ（フォン）（登録商標）のような無線ＬＡＮ共有サービスが世界規模で急速に展開されている。この無線ＬＡＮ共有サービスは普通のホットスポットと違い、無線通信インフラは特定の会社ではなくすべての無線ＬＡＮユーザが作り上げ、すなわち、自宅の無線ＬＡＮは一部他人に開放され、その代わりに自分が外出先に他人の無線ＬＡＮを無料で使える無線ＬＡＮ助け合いプロジェクトである。
【０００５】
一方、下記の特許文献１には、無線ＬＡＮネットワークと携帯電話ネットワークとの切替えを行う方法として、無線ＬＡＮネットワークとモバイルＩＰネットワークとの切替え方法が記載されている。
【特許文献１】特快２００５−３１１５８０号公報
【発明の開示】
【発明が解決しようとする課題】
【０００６】
しかしながら、本発明に関連する無線ＬＡＮ通信システムでは、上記の特徴（２）によって、ユーザが無線ＬＡＮ通信中にハンドオーバができない、例えば、Ｓｋｙｐｅ（登録商標）を利用して歩きながら無線ＩＰ電話で会話中に無線ＬＡＮ環境が変わったら、会話が切断されてしまうという問題がある。
【０００７】
この問題は、上記の特許文献１に記載のようなモバイルＩＰ技術を利用すれば解決することが可能だが、モバイルＩＰプロトコルの実装やシステムの構築が複雑であり、現実社会にあまり普及していないのが現状である。
【０００８】
そこで、本発明の目的は上記の問題点を解消し、モバイルＩＰ技術を利用することなく、無線ＬＡＮ環境が変わっても無線通信を続けることができる無線ＬＡＮ通信システム、アクセスポイント装置及びそれらに用いるネットワーク間移行方法を提供することにある。
【課題を解決するための手段】
【０００９】
本発明による無線ＬＡＮ通信システムは、各々異なるネットワークにおいてそれぞれ無線ＬＡＮ（Ｌｏｃａｌ  Ａｒｅａ  Ｎｅｔｗｏｒｋ）環境を構築する第１及び第２のアクセスポイント装置を備え、
前記第１及び第２のアクセスポイント装置間においてＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）パケットにてフレーム転送を行っている。
【００１０】
本発明によるアクセスポイント装置は、自装置が属する自ネットワークとは異なるネットワークにおいて無線ＬＡＮ（Ｌｏｃａｌ  Ａｒｅａ  Ｎｅｔｗｏｒｋ）環境を構築する他のアクセスポイント装置との間においてＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）パケットにてフレーム転送を行う手段を備えている。
【００１１】
本発明によるネットワーク間移行方法は、各々異なるネットワークにおいてそれぞれ無線ＬＡＮ（Ｌｏｃａｌ  Ａｒｅａ  Ｎｅｔｗｏｒｋ）環境を構築する第１及び第２のアクセスポイント装置を含む無線ＬＡＮ通信システムに用いるネットワーク間移行方法であって、
前記第１及び第２のアクセスポイント装置間においてＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）パケットにてフレーム転送を行っている。
【発明の効果】
【００１２】
本発明は、上記のような構成及び動作とすることで、モバイルＩＰ技術を利用することなく、無線ＬＡＮ環境が変わっても無線通信を続けることができるという効果が得られる。
【発明を実施するための最良の形態】
【００１３】
次に、本発明の実施の形態について図面を参照して説明する。まず、本発明による無線ＬＡＮ通信システムの概要について説明する。本発明による無線ＬＡＮ通信システムは、異なったネットワーク間において、通信中の端末がシームレスに移行することできるようにするものである。
【００１４】
本発明による無線ＬＡＮ通信システムは、プライベート通信用のプライベート（Ｐｒｉｖａｔｅ）無線ＳＳＩＤ（Ｓｅｒｖｉｃｅ  Ｓｅｔ  ＩＤｅｎｔｉｆｉｅｒ）［ＷＥＰ（Ｗｉｒｅｄ  Ｅｑｕｉｖａｌｅｎｔ  Ｐｒｉｖａｃｙ）暗号化で通信する］と、誰でも接続可能な公衆通信用のパブリック（Ｐｕｂｌｉｃ）無線ＳＳＩＤ（セキュリティなしで通信する）との二つのネットワーク（ＳＳＩＤ）で構成されるアクセスポイント装置（ＡＰ：Ａｃｃｅｓｓ  Ｐｏｉｎｔ）を備えている。
【００１５】
本発明では、ユーザが自宅で無線ＬＡＮ通信環境を構築し、ユーザ名や無線ＬＡＮ端末やアクセスポイントのＭＡＣ（Ｍｅｄｉａ  Ａｃｃｅｓｓ  Ｃｏｎｔｒｏｌ）アドレスを通信システム管理者に提供する。通信システム管理者は、ユーザ管理センタを設け、ユーザ側の情報を認証サーバに記録する。
【００１６】
ユーザは、自宅でプライベート無線ＳＳＩＤに接続してデータを通信するが、自宅から離れた外部無線ＬＡＮ環境にいたら、誰でも共有できるパブリック無線ＳＳＩＤを経由してインターネットに接続する。
【００１７】
このような無線ＬＡＮ接続環境では、一般的にＡＤＳＬ（Ａｓｙｍｍｅｔｒｉｃ  Ｄｉｇｉｔａｌ  Ｓｕｂｓｃｒｉｂｅｒ  Ｌｉｎｅ）やＶＤＳＬ（Ｖｅｒｙ  ｈｉｇｈ  ｄａｔａ  ｒａｔｅ  Ｄｉｇｉｔａｌ  Ｓｕｂｓｃｒｉｂｅｒ  Ｌｉｎｅ）ブロードバンドルータを設置している。上記の無線ＬＡＮ接続環境では、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）プロトコルやＮＡＴ（Ｎｅｔｗｏｒｋ  Ａｄｄｒｅｓｓ  Ｔｒａｎｓｌａｔｉｏｎ）技術を利用して、ローカルネットワークにある複数のＰＣ（Ｐｅｒｓｏｎａｌ  Ｃｏｍｐｕｔｅｒ）を一つのグローバルＩＰ（Ｉｎｔｅｒｎｅｔ  Ｐｒｏｔｏｃｏｌ）アドレスを共有してインターネットに接続する。
【００１８】
そのため、無線ＬＡＮ端末に割当てられるＩＰアドレスが無線ＬＡＮ接続環境によって変わるので、データ通信中に無線ＬＡＮ端末が外部無線ＬＡＮ環境１から外部無線ＬＡＮ環境２に移動したら、データ通信が切れてしまう。すなわち、上記の無線ＬＡＮ接続環境では、ネットワーク間でのハンドオーバができないという問題がある。
【００１９】
そこで、本発明では、無線ＬＡＮ端末が外部無線ＬＡＮ環境にてインターネットに接続した場合、外部無線ＬＡＮ環境にあるアクセスポイント（ＡＰ＃１）と自宅無線ＬＡＮ環境にあるアクセスポイント（ＡＰ＃０）との間に、別のＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）通信セッションを確立する。
【００２０】
本発明では、物理層やデータリンク層（ＭＡＣレイヤ）の通信をアクセスポイント（ＡＰ＃１）に任せ、その上のフレームデータをアクセスポイント（ＡＰ＃１）とアクセスポイント（ＡＰ＃０）との間のＴＣＰ／ＩＰパケット転送によってアクセスポイント（ＡＰ＃０）で処理する。
【００２１】
本発明では、二つのアクセスポイント（ＡＰ＃１）とアクセスポイント（ＡＰ＃０）とが擬似的に一つのアクセスポイントになって動作し、低いレイヤの処理［ＰＣＦ（Ｐｏｉｎｔ  Ｃｏｏｒｄｉｎａｔｉｏｎ  Ｆｕｎｃｔｉｏｎ）、ＣＳＭＡ／ＣＡ（Ｃａｒｒｉｅｒ  Ｓｅｎｓｅ  Ｍｕｌｔｉｐｌｅ  Ａｃｃｅｓｓ  ｗｉｔｈ  Ｃｏｌｌｉｓｉｏｎ  Ａｖｏｉｄａｎｃｅ）等］を、外部アクセスポイント（ＡＰ＃１）で実現し、上位レイヤの処理（ＤＨＣＰ、ＴＣＰ／ＩＰ通信）は、すべて自宅のアクセスポイント（ＡＰ＃０）で実現している。
【００２２】
このため、無線ＬＡＮ端末は、外部無線ＬＡＮ環境にあるものの、擬似的に自宅の無線ＬＡＮに接続したようになる。ＩＰアドレスが自宅のルータに割り当てられ、インターネット接続用のグローバルＩＰアドレスも自宅のものになるので、外部無線ＬＡＮ接続環境が変わっても（ハンドオーバ）、無線ＬＡＮ端末のＩＰアドレスが変更しないため、データ通信が切れることなく続けることができる。
【００２３】
図１は本発明の第１の実施の形態による無線ＬＡＮ通信システムの構成例を示すブロック図であり、図２は本発明の第１の実施の形態による無線ＬＡＮ通信システムにおけるアクセスポイント装置間の通信を示す図である。
【００２４】
図１において、本発明の第１の実施の形態による無線ＬＡＮ通信システムは、自宅無線ＬＡＮ環境Ａと、外部無線ＬＡＮ環境Ｂと、ユーザ管理センタＣと、インターネット１００とから構成されている。
【００２５】
自宅無線ＬＡＮ環境Ａには、無線ＬＡＮ端末１と、アクセスポイント装置２−０と、ルータ３−０と、情報端末（ＰＣ）４−０とが配設されている。外部無線ＬＡＮ環境Ｂには、無線ＬＡＮ端末１−１と、アクセスポイント装置２−１と、ルータ３−１と、情報端末（ＰＣ）４−１とが配設されている。ユーザ管理センタＣには、認証サーバ５が配設されている。
【００２６】
アクセスポイント装置２−０，２−１は、プライベート通信用のプライベート無線ＳＳＩＤと、誰でも接続可能なパブリック無線ＳＳＩＤとの二つのネットワーク（ＳＳＩＤ）で構成されている。
【００２７】
ユーザが自宅で無線ＬＡＮ通信環境を構築し、ユーザ名や無線ＬＡＮ端末１やアクセスポイント装置２−０のＭＡＣアドレスを通信システム管理者に提供する。通信システム管理者は、ユーザ管理センタＢを設け、ユーザ側の情報を認証サーバ５に記録する。ユーザは、自宅でプライベート無線ＳＳＩＤに接続してデータを通信するが、自宅から離れた外部無線ＬＡＮ環境Ｂにいたら、誰でも共有できるパブリック無線ＳＳＩＤを経由してインターネット１００に接続する。
【００２８】
このような無線ＬＡＮ接続環境では、一般的に、ＡＤＳＬやＶＤＳＬブロードバンドルータを設置し、ＤＨＣＰプロトコルやＮＡＴ技術を利用して、ローカルネットワークにある複数のＰＣを一つのグローバルＩＰアドレスを共有してインターネット１００に接続する。
【００２９】
そのため、無線ＬＡＮ端末１に割当てられるＩＰアドレスが無線ＬＡＮ接続環境によって変わるので、データ通信中に無線ＬＡＮ端末１が外部無線ＬＡＮ環境Ｂから他の外部無線ＬＡＮ環境に移動したら、データ通信が切れてしまう。すなわち、この場合には、ネットワーク間でのハンドオーバができないという問題がある。
【００３０】
そこで、本実施の形態では、無線ＬＡＮ端末１が外部無線ＬＡＮ環境Ｂにてインターネット１００に接続した場合、外部無線ＬＡＮ環境Ｂにあるアクセスポイント装置２−１と自宅無線ＬＡＮ環境Ａにあるアクセスポイント装置２−０との間に、別のＴＣＰ／ＩＰ通信セッションを確立し、物理層やデータリンク層（ＭＡＣレイヤ）の通信をアクセスポイント装置２−１に任せ、その以上のフレームデータはアクセスポイント装置２−１とアクセスポイント装置２−０との間のＴＣＰ／ＩＰパケット転送によってアクセスポイント装置２−０で処理する。
【００３１】
本実施の形態では、図２に示すように、二つのアクセスポイント装置２−０，２−１が擬似的に一つのアクセスポイント装置になって動作し、低いレイヤの処理（ＰＣＦ、ＣＳＭＡ／ＣＡ等）を外部無線ＬＡＮ環境Ｂにあるアクセスポイント装置２−１で実現し、上位レイヤの処理（ＤＨＣＰ、ＴＣＰ／ＩＰ通信）をすべて自宅無線ＬＡＮ環境Ａにあるアクセスポイント装置２−０で実現する。
【００３２】
このため、無線ＬＡＮ端末１は、外部無線ＬＡＮ環境Ｂにあるものの、擬似的に自宅無線ＬＡＮ環境Ａに接続したようになる。ＩＰアドレスが自宅無線ＬＡＮ環境Ａのルータ３−０に割り当てられ、インターネット接続用のグローバルＩＰアドレスも自宅のものになるので、外部無線ＬＡＮ接続環境が変わっても（ハンドオーバ）、無線ＬＡＮ端末１のＩＰアドレスが変更しないため、データ通信が切れることなく、続けることができる。
【００３３】
図３は本発明の第１の実施の形態によるアクセスポイント装置の構成例を示すブロック図である。図３において、アクセスポイント装置２は、アンテナ２０と、無線ＬＡＮインタフェース部２１と、フレーム解析、制御部２２と、パケット作成部２３と、ＴＣＰ／ＩＰ通信制御部２４と、ブリッジ制御部２５と、パケット解析、制御部２６と、フレーム取り出し部２７と、有線ＬＡＮインタフェース部２８とから構成されている。尚、図１のアクセスポイント装置２−０，２−１は、上記のアクセスポイント装置２と同様の構成になっているものとする。
【００３４】
無線ＬＡＮインタフェース部２１は、アクセスポイント装置２の機能で、ネットワーク物理層の通信関連部分である。フレーム解析、制御部２２は、フレームの解析またはフレームをブリッジ制御部２５に転送するか、アクセスポイント装置間のＴＣＰ／ＩＰカプセル化するかを制御する部分である。
【００３５】
パケット作成部２３は、受信フレームをＭＡＣアドレスやＢＳＳＩＤ（Ｂａｓｉｃ  Ｓｅｒｖｉｃｅ  Ｓｅｔ  ＩＤｅｎｔｉｆｉｅｒ）等のデータを変更してカプセル化し、アクセスポイント装置間のＴＣＰ／ＩＰパケットを作成する部分である。ＴＣＰ／ＩＰ通信制御部２４は、アクセスポイント装置間のＴＣＰ／ＩＰ通信スタック、ＴＣＰ／ＩＰパケット通信制御の部分である。
【００３６】
ブリッジ制御部２５は、アクセスポイント装置２の機能で、無線フレームデータを有線フレームに変換する部分である。パケット解析、制御部２６は、上位層から受信したＴＣＰ／ＩＰパケットを解析し、アクセスポイント装置２内のＴＣＰ／ＩＰパケットか、アクセスポイント装置間のＴＣＰ／ＩＰパケットかをチェック、制御する部分である。
【００３７】
フレーム取り出し部２７は、アクセスポイント装置間のＴＣＰ／ＩＰパケットからフレームデータを取り出し、ＭＡＣアドレスやＢＳＳＩＤ等のデータを変更して下位層に渡す部分である。有線ＬＡＮインタフェース部２８は、アクセスポイント装置２の機能で、ネットワーク物理層の通信関連部分である。
【００３８】
図４は本発明の第１の実施の形態における外部無線ＬＡＮ環境での接続手順を示す図であり、図５は本発明の第１の実施の形態による無線ＬＡＮ通信システムのハンドオーバ手順を示すシーケンスチャートであり、図６は本発明の第１の実施の形態における外部無線ＬＡＮ環境でのハンドオーバ手順を示すシーケンスチャートである。
【００３９】
これら図１〜図６を参照して、本発明の第１の実施の形態による無線ＬＡＮ通信システムの動作について説明する。最初に、自宅無線ＬＡＮ環境Ａでの動作について説明する。
【００４０】
まず、アクセスポイント装置２−０には、Ｐｒｉｖａｔｅ  ＳＳＩＤのＷＥＰキーを設定する。次に、無線ＬＡＮ端末１には、アクセスポイント装置２−０と同様のＷＥＰキーを設定し、アクセスポイント装置２−０に接続する。
【００４１】
アクセスポイント装置２−０は、無線ＬＡＮ端末１からの接続要求をチェックし、Ｐｒｉｖａｔｅ  ＳＳＩＤへの接続なら、通常のアクセスポイント装置の処理（認証、アソシエーション、ブリッジ機能）を行う。アクセスポイント装置２−０は、Ｐｕｂｌｉｃ  ＳＳＩＤへの接続なら、外部無線ＬＡＮ環境Ｂでの接続にしたがって動作する。
【００４２】
続いて、外部無線ＬＡＮ環境Ｂでの動作について説明する。以下、図４の接続手順を参照して本実施の形態による無線ＬＡＮ通信システムの動作について説明する。
【００４３】
無線ＬＡＮ端末１側からは、外部無線ＬＡＮ環境Ｂのアクセスポイント装置２−１のＰｕｂｌｉｃ  ＳＳＩＤを選択して接続する（図４のａ１）。アクセスポイント装置２−１は、Ｐｕｂｌｉｃ  ＳＳＩＤへの接続に対して、認証要求のフレームから無線ＬＡＮ端末１のＭＡＣアドレスを取得し、ユーザ管理センタＣにあるユーザ認証サーバ５に接続してユーザを認証する（図４のａ２，ａ３）。
【００４４】
無線ＬＡＮ端末１のユーザが自宅ではない、登録済みのユーザであれば、アクセスポイント装置２−１からアクセスポイント装置２−０に接続し、ＴＣＰ／ＩＰセッションを確立する（図４のａ４）。
【００４５】
アクセスポイント装置２−１は、ネットワーク層へのフレームデータに対して、ＭＡＣヘッダ（ＭＡＣアドレス、ＢＳＳＩＤ等）を修正し、ＴＣＰ／ＩＰパケットでカプセル化して自宅無線ＬＡＮ環境Ａのアクセスポイント装置２−０に転送する（図４のａ７）。
【００４６】
アクセスポイント装置２−１は、アクセスポイント装置２−０から受信したＴＣＰ／ＩＰパケットを分解してフレームデータを取り出し、ＭＡＣヘッダ（ＭＡＣアドレス、ＢＳＳＩＤ等）を修正してからＭＡＣ層に渡す。
【００４７】
続いて、本実施の形態による無線ＬＡＮ通信システムによる外部無線ＬＡＮ環境Ｂ１，Ｂ２でのハンドオーバ手順について、図５及び図６の接続手順を参照して説明する。
【００４８】
外部無線ＬＡＮ環境Ｂ１のアクセスポイント装置２−１に接続中の無線ＬＡＮ端末１がアクセスポイント装置２−２へ移動する（図６のｂ１，ｂ２）。その際、無線ＬＡＮ端末１は、電波状況によって、アクセスポイント装置２−２からのシグナルが強ければ、アクセスポイント装置２−２に再アソシエーションを要求する（図６のｂ３）。
【００４９】
アクセスポイント装置２−２は、再アソシエーション要求から無線ＬＡＮ端末１のＭＡＣアドレスを取得し、ユーザ管理センタＣにあるユーザ認証サーバ５に接続し、ユーザを認証する（図６のｂ４，ｂ５）。
【００５０】
アクセスポイント装置２−２は、アクセスポイント装置２−０に接続し、ＴＣＰ／ＩＰセッションを確立する（図６のｂ６）。これによって、アクセスポイント装置２−０は、アクセスポイント装置２−１とのＴＣＰ／ＩＰ通信を切断する（図６のｂ７）。
【００５１】
アクセスポイント装置２−２は、無線ＬＡＮ端末１からの再アソシエーション要求に対して応答し（図６のｂ８）、アクセスポイント装置２−０との間のフレーム転送を行う（図６のｂ９，ｂ１０）。
【００５２】
このように、本実施の形態では、上記のような構成及び動作とすることで、無線通信中の無線ＬＡＮ端末１が、現在の無線ＬＡＮ環境とは異なった無線ＬＡＮ環境でのシームレスなハンドオーバを実現することができる。
【図面の簡単な説明】
【００５３】
【図１】本発明の第１の実施の形態による無線ＬＡＮ通信システムの構成例を示すブロック図である。
【図２】本発明の第１の実施の形態による無線ＬＡＮ通信システムにおけるアクセスポイント装置間の通信を示す図である。
【図３】本発明の第１の実施の形態によるアクセスポイント装置の構成例を示すブロック図である。
【図４】本発明の第１の実施の形態における外部無線ＬＡＮ環境での接続手順を示す図である。
【図５】本発明の第１の実施の形態による無線ＬＡＮ通信システムのハンドオーバ手順を示すシーケンスチャートである。
【図６】本発明の第１の実施の形態における外部無線ＬＡＮ環境でのハンドオーバ手順を示すシーケンスチャートである。
【符号の説明】
【００５４】
１，１−１  無線ＬＡＮ端末
２，２−０〜２−２  アクセスポイント装置
３−０〜３−２  ルータ
４−０〜４−２  情報端末
５  認証サーバ
２０  アンテナ
２１  無線ＬＡＮインタフェース部
２２  フレーム解析、制御部
２３  パケット作成部
２４  ＴＣＰ／ＩＰ通信制御部
２５  ブリッジ制御部
２６  パケット解析、制御部
２７  フレーム取り出し部
２８  有線ＬＡＮインタフェース部
１００  インターネット
Ａ  自宅無線ＬＡＮ環境
Ｂ，Ｂ１，Ｂ２  外部無線ＬＡＮ環境
Ｃ  ユーザ管理センタ
【図１】
2009284114.tif 000003
【図２】
2009284114.tif 000004
【図３】
2009284114.tif 000005
【図４】
2009284114.tif 000006
【図５】
2009284114.tif 000007
【図６】
2009284114.tif 000008